(57)【特許請求の範囲】
【請求項１】
車椅子のフレーム（２４）のパイプを挟み込むように、平面視において半円形の溝を形成する一端から他端に延びる２枚の片よりなる狭着部（１１）には、側面視において、当該挟着部（１１）の一端に、当該狭着部（１１）を前記フレーム（２４）に固定するための固定部（１２）と、当該挟着部（１１）の他端に、荷受け部（１５）を回動自在に螺着する可動部（１３）とが設けられ、前記半円形の溝は、前記固定部（１２）側を狭くして前記可動部（１３）側を広くしてパイプを挟み込むように構成されていると共に、前後に動かして長さの調節できるスライド式荷受け部（１６）が前記荷受け部（１５）に挿入されている車椅子用の着脱式荷受け台であって、
前記荷受け部（１５）の下部に当該荷受け部（１５）の傾きを調節する調節部（１４）を設け、前記調節部（１４）は、前記荷受け部（１５）の挟着部（１１）側の末端に着説された調節用のネジからなり、前記調節部（１４）のネジを回転させてネジの頭部を凸出させ、又は凹ませることによって、前記荷受け部（１５）と前記フレーム（２４）との当接位置を調節することを特徴とする車椅子用の着脱式荷受け台。
【発明の詳細な説明】
【技術分野】
【０００１】
本発明は車椅子に荷物を置くために車椅子のフレームに着設する着脱式荷受け台に関わる。より詳細には車椅子の前部左右のフレーム、または後部左右のフレームに挟着して、その上に荷物等を置くための車椅子用の着脱式荷受け台に関わる。
【背景技術】
【０００２】
車椅子の利用者が鞄等をおいたり、買い物などをした場合に荷物を置く場所がないために、仕方なく膝の上に置いたり、ハンドルにぶら下げたりしなければならないことがある。車椅子に座してその膝の上に荷物を置くことは不安定でもあり、長時間に亘ると苦痛も伴うものである。また、ハンドルに荷物をぶら下げるとバランスが悪くなってハンドル操作が不自由になる。そのために、車椅子の利用者が車椅子に荷物を置くために、車椅子のスペースを有効に利用した様々の工夫がなされている。
【０００３】
特許文献１の車椅子に荷物を置くための工夫は、請求項１に「走行車台上に背もたれと左右の肘掛けを有する座席を設けると共に背もたれの背後に操縦操作具を設けた車椅子において、座面の前側に設けた搭乗者の脚部を受ける脚受けを起伏固定可能にしたことを特徴とする車椅子。」が開示されている。これは、本来の使用目的である人間を乗せて走行する場合には、脚受けを下方へ回動して固定する。すると座面に人が座って使用できる車椅子である。この車椅子で、買い物の際に荷物を運搬するために使用する場合には、脚受けを起立させて固定し、座面を背もたれと左右の肘掛け及び脚受けで囲った状態とする。すると座面上に荷物を載せて移動できて、荷物が落ちることがない。ただし、人が車椅子上に座して荷物を運搬できるものではない。
【０００４】
特許文献２の車椅子に荷物を置くための工夫は、請求項１に「座席部が着脱自在であって、前輪及び後輪が軸着された左右一対のサイドフレームを近接して折り畳み可能にした折り畳み式車椅子の車台において、前記左右一対のサイドフレームを、前後方向に移動して水平エックス字状に交差されたスライド部材により連結し、前記スライド部材のそれぞれの一端を前記左右のサイドフレームの前端部に枢着し、前記サイドフレームの略中間部から後方に渡って収納スペースを形成すべく前記スライド部材の他端を前記サイドフレームの前後方向に移動自在に設け、車台が展開状態なったときに前記スライド部材の他端が前記サイドフレームの前後方向にお略中間部に位置するように構成し、前記左右一対のサイドフレームの展開状体を維持するロック機を設けたことを特徴とする折り畳み式車椅子の車台。」が開示されている。
【０００５】
特許文献３の車椅子に荷物を置くための工夫は、請求項１に「車椅子の右側のフットレストの天面のうちの右端及び前記車椅子の左側のフットレストの天面のうち左端にそれぞれ対向して載置される、軽量且つ柔軟な材料で形成した一対の平板状の脚を設け、前記車椅子のフットレスト保持支柱に前記脚を固定する固定具を設け、左右夫々の前記脚にトレーを架設したことを特徴とする車椅子用着脱式荷台。」が開示されている。特許文献３の段落[００１０]には、「本考案に係る車椅子着脱式荷台では、前記固定具が、面ファスナーであることが好ましい。面ファスナーで固定することで、多様な幅の規格の車椅子にも適用できる車椅子用着脱荷台とすることができる。」と記載されている。
【０００６】
上記のように、特許文献１は車椅子の座部全体を荷台として、小荷物の運搬に利用しようとしたものである。また、特許文献２はサイドフレームの後方側に荷物等を載置できる折り畳み可能な車椅子の車台を提供するものである。特許文献３の車椅子用着脱式荷台は軽量且つ柔軟な材料で形成した一対の平板状の脚をフットレストフレームに面ファスナーで貼着してその上に荷物を置くものである。しかし、車椅子の利用者が車椅子に座して、荷物を安定に保持するための車椅子用の荷物台ではない。車椅子の前部または後部フレームに簡単に着脱ができて、しかも不要なときには特別に収納場所を必要としない、取扱の容易な車椅子用の荷物台の出現が望まれている。
【特許文献１】特開平１０−３２８２４３号公報
【特許文献２】特願２０００−２３７２４３号公報
【特許文献３】実用新案登録第３１１１１１３号公報
【発明の開示】
【発明が解決しようとする課題】
【０００７】
本発明は、車椅子の前部左右のフレーム、または後部左右のフレームに着設してその上に荷物等を置くための荷受け台であって、該荷受け台は着脱可能で、荷受け台の前後の長さが調節可能であり、使用しないときは折り畳むことができる車椅子用の着脱式荷受け台を提供するものである。
【課題を解決するための手段】
【０００８】
車椅子の前部または後部の左右のフレームに簡単に装着できて、しかも不要なときには特別に収納場所を必要としない、取扱の容易な車椅子用の荷物台を提供するために鋭意研究を重ねた。その結果、車椅子の前部または後部の左右のフレームに取り外し可能な挟着部を有する荷受け台とし、該荷受け台の挟着部に荷受け部を回動自在に螺着することにより、荷受け部が折り畳み可能となった。さらに荷受け部に伸縮性を持たせて、長くしたり、短くして使用することが可能な車椅子用の着脱式荷受け台を作成した。
【０００９】
請求項１記載の発明は、車椅子のフットレストのフレーム（２４）のパイプを挟み込むように平面視において半円形の溝を形成する、一端から他端に延びる２枚の片よりなる狭着部（１１）には、側面視において、当該挟着部（１１）の一端に、当該狭着部（１１）を前記フレーム（２４）にネジで固定するための固定部（１２）と、当該挟着部（１１）の他端に、荷受け部（１５）を回動自在に螺着する可動部（１３）とが設けられ、前記平面視半円形の溝は、前記固定部（１２）側を狭くして前記可動部（１３）側を広くしてパイプを挟み込むように構成されていると共に、前後に動かして長さの調節できるスライド式荷受け部（１６）が前記荷受け部（１５）に挿入されている車椅子用の着脱式荷受け台であって、前記荷受け部（１５）の下部に当該荷受け部（１５）の傾きを調節する調節部（１４）を設け、前記調節部（１４）は、前記荷受け部（１５）の挟着部（１１）側の末端に着説された調節用のネジからなり、前記調節部（１４）のネジを回転させてネジの頭部を凸出させ、又は凹ませることによって、前記荷受け部（１５）と前記フレーム（２４）との当接位置を調節することを特徴とする車椅子用の着脱式荷受け台である。フレームに挟着する挟着部に荷受け部を回動自在に螺着することにより、荷受け台を折り畳み可能とした。車椅子の着脱式荷受け台を使用しないとき、あるいは車椅子の利用者が乗降するときは荷受け部を折り畳んで邪魔にならないようにした。車椅子用の着脱式荷受け台の荷受け部をスライド式に伸縮性を持たせて、荷物の大きさによって荷受け部の長さを調節できるようにして、荷物台に載せた荷物が安定するようにした。
【００１０】
本発明では、車椅子によって、フットレストフレーム等の角度が変わっても、荷受け部の末端に着設したネジを回転させてフレームと荷受け部の間隔を調節することによって、荷受け部が常に水平に維持できるように調節用のネジを荷受け部の末端に着設した。
【００１１】
本発明では、 車椅子によって、フットレストフレーム等の角度が変わっても、荷受け部の末端に着設したネジを回転させてフレームと荷受け部の間隔を調節することによって、荷受け部が常に水平に維持できるように調節用のネジを荷受け部の末端に着設した。
【発明の効果】
【００１２】
車椅子の前部フレーム、又は後部フレームに挟着する挟着部を着脱自在とし、この挟着部に荷受け部を回動自在に螺着して、荷物台として使用しないときは折り畳んで収納することができる。また、長期間にわたり使用しないときは簡単に取り外すことができる。荷受け部は伸縮性を持たせたので、大きな荷物を載せるときは伸ばして使用することができ、荷物に合わせて長さの調節が可能となった。荷受け部の角度を調節することを可能にしたことによって、車椅子に着設された角度の異なるフレームに取り付けた場合でも、荷受け部は水平に調節することができるので、荷物は安定に保持することができる。
【発明を実施するための最良の形態】
【００１３】
本発明の車椅子用の着脱式荷受け台の形態について、以下に図面を用いて説明するが、本発明の車椅子用の着脱式荷受け台１００は、以下の実施例に限定されるものではない。
【００１４】
図１は車椅子用の着脱式荷受け台を示す。車椅子用の着脱式荷受け台を車椅子のフレームに装着するための車椅子用の着脱式荷受け台の挟着部１１は、図１に示すように、挟着部１１をフレームにネジで固定するための固定部１２と荷受け部１５を回動自在に螺着する可動部１３とよりなっている。挟着部１１の固定部１２と可動部１３の間は円形のパイプを挟み込むように半円形の溝が穿設された２枚の片よりなっている。車椅子の種類によってパイプの太さが異なっても対応できるように、２枚の片よりなる挟着部１１は可動部１３側を広く、固定部１２側を狭くしてある。なお、着脱式荷受け台を着設するにあたって、合成樹脂製などの他、図４に示す金属製の補助ワッシャーのようなものをフレームと着脱式荷受け台の挟着部の間に挿入してより強固に着設することが望ましい。
【００１５】
荷受け部１５にはスライド式荷受け部１６が挿入されており、荷受け部１５の上をスライド式荷受け部１６を前後に動かして荷受け部１５の長さの調節ができる。荷受け部１５の長さの調節はスライド式荷受け部１６をずらせてネジ穴１６ａ、１６ｂ、１６ｃの適当な位置で固定することによって、荷受け部１５の長さを調節することができる。スライド式荷受け部１６の上には、荷物を載せた時に滑らないように滑り止め部材１７としてゴム等を貼設する。
【００１６】
図２は車椅子用の着脱式荷受け台１００の長さを調節するためのスライド式荷受け部１６を動かした例を示している。スライド式荷受け部１６を動かして適当な位置で停止してネジ１６ａ、１６ｂ、１６ｃのいずれかの位置でネジを締めて固定する。スライド式荷受け部１６の上にはゴム又はその表面に滑り止めの溝を設けた合成ゴム等の滑り止め部材１７を貼設した。
【００１７】
図３は車椅子用の着脱式荷受け台１００の底部を示す。車椅子用の着脱式荷受け台１００の長さを調節するためのスライド式荷受け部１６の底部には底面開口部１８が穿設されている。図３はスライド式荷受け部１６を最短にした状態を示し、この状態ではネジは１６ｃの位置で固定される。スライド式荷受け部１６の底面開口部１８の末端部にはネジ１８ａが着設されており、このネジ１８ａは最大限に伸ばしたときにスライド式荷受け部１６が荷受け部１５から抜けないようにしている。スライド式荷受け部１６を荷受け部１５から抜くときは、ネジ１８ａを外すとスライド式荷受け部１６を抜き取ることができる。
【００１８】
図４は車椅子用の着脱式荷受け台１００の別の態様を示す。荷受け台の長さを調節するためにスライド式荷受け部１６と荷受け部１５の間に板バネ２９を着設したものである。板バネ２９が常にスライド式荷受け部１６を押しつけることによって抵抗がかかり、手で動かさない限りスライドしないようにする。この方法は先に示したネジによって調節する方法に比較して簡単で無段階に調節することができる。
【００１９】
図４に示す補助ワッシャー３０はフットレストフレーム２４や後部フレーム２８が細い場合にフレームと挟着部１１の間に入れて、着脱式荷受け台１００をフットレストフレーム２４や後部フレーム２８に強固に着設することができる。種々の厚さの補助ワッシャー３０を準備することによって、様々な車椅子のフレームに対応することができる。補助ワッシャー３０は特に金属製に限定されず、締め付け強度に耐える合成樹脂製の補助ワッシャーであってもよい。
【００２０】
図５は車椅子用の着脱式荷受け台１００をフットレストのフレーム２４に着設する場合に、フットレストのフレーム２４が前方に突き出すように傾斜しているときは荷受け部１５の当接位置を調節部１４のネジを回転させて、ネジの頭部を凸出させ、又は凹ませて荷受け部の傾きを調節して荷受け部１５を常に水平に維持することができる。車椅子の前部フレームにフットレストが直接着設されている場合には、前部フレームに車椅子用の着脱式荷受け台１００をそのまま装着することができる。介助者が介助する場合は、車椅子の後部フレームに車椅子用の着脱式荷受け台１００を装着すると、介助者の手荷物などを置くこともできる。
【００２１】
図６は車椅子２０に本発明の車椅子用の着脱式荷受け台１００を装着した例を示している。車椅子２０のフットレスト（前部）フレーム２４に車椅子用の着脱式荷受け台１００を装着して、荷受け部１５を広げて使用できる状態１５ａを示している。車椅子に乗降する場合は、車椅子用の着脱式荷受け台１００を挟着部の可動部１３から折り畳んで閉じた状態１５ｂにして乗降する。
【００２２】
図７は車椅子２０に車椅子用の着脱式荷受け台１００を装着して、荷物を載せた状態の例を示している。車椅子の前部に着設された左右のフットレスト（前部）フレーム２４に車椅子用の着脱式荷受け台１００を挟着して、両側の荷受け部１５上に荷物２７を置いた状態である。介助者が介助する場合には、車椅子の後部フレーム２８に車椅子用の着脱式荷受け台１００を装着して、その上に箱などを載せると小さい荷物でも載置することができる。
【図面の簡単な説明】
【００２３】
【図１】車椅子用の着脱式荷受け台の斜視図である。
【図２】車椅子用の着脱式荷受け台の斜視図である。
【図３】車椅子用の着脱式荷受け台の底面からの斜視図である。
【図４】車椅子用の着脱式荷受け台の別態様の斜視図である。
【図５】フレームに装着した車椅子用の着脱式荷受け台の側面図である。
【図６】車椅子用の着脱式荷受け台を装着した車椅子の斜視図である。
【図７】車椅子用の着脱式荷受け台を装着した車椅子に荷物を載せた状態を示す斜視図である。
【符号の説明】
【００２４】
１００：車椅子用の着脱式荷受け台
１１：挟着部
１２：固定部
１３：可動部
１４：調節部
１５：荷受け部
１６：スライド式荷受け部
１７：滑り止め部材
１８：底面開口部
２０：車椅子
２１：アームレスト
２２：背もたれ
２３：主車輪
２４：フットレスト（前部）フレーム
２５：フットレスト
２６：キャスター
２７：荷物
２８：後部フレーム
２９：板バネ
３０：補助ワッシャー
【図１】
0004787582.tif 000002
【図２】
0004787582.tif 000003
【図３】
0004787582.tif 000004
【図４】
0004787582.tif 000005
【図５】
0004787582.tif 000006
【図６】
0004787582.tif 000007
【図７】
0004787582.tif 000008